(57)【特許請求の範囲】
【請求項１】
トナーをシートに転写することによりシートに画像を形成する電子写真方式の画像形成装置であって、
装置本体に着脱自在に装着され、回収されたトナーを収容するトナー収容器と、
前記トナー収容器に設けられ、特定の向きに回転することにより回収されたトナーを搬送するスクリュー状のオーガと、
前記オーガから回転力を得て回転するとともに、雄ねじが形成されたネジ軸と、
前記ネジ軸に噛み合うための雌ねじが形成され、前記ネジ軸の回転に共に前記ネジ軸の軸方向に移動可能な可動部材と、
前記可動部材に設けられた可動電気接点と、
前記可動電気接点と接触可能な固定電気接点と、
前記可動電気接点と前記固定電気接点とが接触することによる電圧変化を検出するとともに、電圧変化を検出したときに未使用のトナー収容器が装置本体に装着されたものと判定する判定手段とを備え、
前記電圧変化は、前記可動電気接点と前記固定電気接点とが非接触状態から接触状態に変化し当該接触状態から再び非接触状態に変化する際の電圧変化であることを特徴とする画像形成装置。
【請求項２】
トナーをシートに転写することによりシートに画像を形成する電子写真方式の画像形成装置であって、
装置本体に着脱自在に装着され、回収されたトナーを収容するトナー収容器と、
前記トナー収容器に設けられ、特定の向きに回転することにより回収されたトナーを搬送するスクリュー状のオーガと、
前記オーガから回転力を得て回転するとともに、雄ねじが形成されたネジ軸と、
前記ネジ軸に噛み合うための雌ねじが形成され、前記ネジ軸の回転に共に前記ネジ軸の軸方向に移動可能な可動部材と、
前記可動部材に設けられた可動電気接点と、
前記可動電気接点と接触可能な固定電気接点と、
前記可動電気接点と前記固定電気接点とが接触することによる電圧変化を検出するとともに、電圧変化を検出したときに未使用のトナー収容器が装置本体に装着されたものと判定する新品検知判定手段と、
少なくとも前記可動部材を有して構成された満杯検知手段であって、前記トナー収容器が所定量のトナーで満たされたか否かを検知する満杯検知手段と
を備え、
前記満杯検知手段は、前記可動部材が所定位置に到達したときに前記トナー収容器が所定量のトナーで満たされたと検知し、
前記可動部材は、雄ねじが形成されていない非ネジ部の区間を通過して前記所定位置に到達することを特徴とする画像形成装置。
【請求項３】
トナーをシートに転写することによりシートに画像を形成する電子写真方式の画像形成装置であって、
装置本体に着脱自在に装着され、回収されたトナーを収容するトナー収容器と、
前記トナー収容器に設けられ、特定の向きに回転することにより回収されたトナーを搬送するスクリュー状のオーガと、
前記オーガから回転力を得て回転するとともに、雄ねじが形成されたネジ軸と、
前記ネジ軸に噛み合うための雌ねじが形成され、前記ネジ軸の回転に共に前記ネジ軸の軸方向に移動可能な可動部材と、
前記可動部材に設けられた可動電気接点と、
前記可動電気接点と接触可能な固定電気接点と、
前記可動電気接点と前記固定電気接点とが接触することによる電圧変化を検出するとともに、電圧変化を検出したときに未使用のトナー収容器が装置本体に装着されたものと判定する判定手段とを備え、
前記固定電気接点は、前記軸方向に沿って複数設けられ、
隣り合う２つの前記固定電気接点のうち、前記軸方向一方側を第１固定電気接点と呼び、他端側を第２固定電気接点と呼ぶとき、
前記第１固定電気接点のうち軸方向と平行な部位の寸法は、前記第２固定電気接点のうち軸方向と平行な部位の寸法と異なる寸法であることを特徴とする画像形成装置。
【請求項４】
前記固定電気接点は、異なる電位に設定された一対の電気接点を１組として構成されており、
さらに、前記可動電気接点と前記固定電気接点とが接触することにより、前記一対の電気接点間が導通可能となることを特徴とする請求項１ないし３のいずれか１項に記載の画像形成装置。
【請求項５】
前記トナー収容器に溜まったトナーの量が予め設定された量を超えたか否かを検出する満杯検知手段を備えており、
前記満杯検知手段に電圧を印加するための電気配線の少なくとも一部は、前記固定電気接点に接続された電気配線の少なくとも一部と共用化されていることを特徴とする請求項４に記載の画像形成装置。
【請求項６】
前記固定電気接点は、前記軸方向に沿って複数設けられていることを特徴とする請求項１又は２に記載の画像形成装置。
【請求項７】
隣り合う２つの前記固定電気接点のうち、前記軸方向一方側を第１固定電気接点と呼び、他端側を第２固定電気接点と呼ぶとき、
前記第１固定電気接点のうち軸方向と平行な部位の寸法は、前記第２固定電気接点のうち軸方向と平行な部位の寸法と異なる寸法であることを特徴とする請求項６に記載の画像形成装置。
【請求項８】
前記ネジ軸の雄ねじは、予め設定された所定範囲内のみに形成されており、
さらに、前記固定電気接点は、前記雄ねじが形成された範囲に対応する範囲内に位置していることを特徴とする請求項１ないし７のいずれか１項に記載の画像形成装置。
【発明の詳細な説明】
【技術分野】
【０００１】
本発明は、トナーをシートに転写することによりシートに画像を形成する電子写真方式の画像形成装置に関するものである。
【背景技術】
【０００２】
例えば、特許文献１に記載の発明では、光学式のセンサを用いて未使用の廃トナーボックス等が装置本体に装着されたか否かを判定している。
【先行技術文献】
【特許文献】
【０００３】
【特許文献１】特開２００９−３３８４号公報
【発明の概要】
【発明が解決しようとする課題】
【０００４】
しかし、光学式のセンサは比較的高価な部品であるので、光学式のセンサを用いて廃トナーボックス等が装置本体に装着されたか否かを判定する構成では、画像形成装置の製造原価低減を図ることが難しい。
【０００５】
本発明は、上記点に鑑み、光学式のセンサを用いることなく、廃トナーボックス等のトナー収容器が装置本体に装着されたか否かを判定することが可能な画像形成装置を提供することを目的とする。
【課題を解決するための手段】
【０００６】
本発明は、上記目的を達成するために、トナーをシートに転写することによりシートに画像を形成する電子写真方式の画像形成装置であって、装置本体に着脱自在に装着され、回収されたトナーを収容するトナー収容器（３０）と、トナー収容器（３０）に設けられ、特定の向きに回転することにより回収されたトナーを搬送するスクリュー状のオーガ（２７）と、オーガ（２７）から回転力を得て回転するとともに、雄ねじが形成されたネジ軸（４１）と、ネジ軸（４１）に噛み合うための雌ねじが形成され、ネジ軸（４１）の回転に共にネジ軸（４１）の軸方向に移動可能な可動部材（５０）と、可動部材（５０）に設けられた可動電気接点（５１）と、可動電気接点（５１）と接触可能な固定電気接点（５２、５３）と、可動電気接点（５１）と固定電気接点（５２、５３）とが接触することによる電圧変化を検出するとともに、電圧変化を検出したときに未使用のトナー収容器（３０）が装置本体に装着されたものと判定する判定手段（６０）とを備えることを特徴とする。
【０００７】
これにより、本発明では、光学式のセンサを用いることなく、未使用のトナー収容器（３０）が装置本体に装着されたものと判定することができる。
すなわち、ネジ軸（４１）は特定の向きに回転するオーガ（２７）から回転力を得ているので、可動部材（５０）は往復変位すること無く特定の向きに変位する。つまり、可動部材（５０）が軸方向一端側の位置（以下、第１ポジションという。）から他端側の位置（以下、第２ポジションという。）に変位した後、可動部材（５０）が第２ポジションから第１ポジションに復帰して、再び、第１ポジションから第２ポジションに移動することはない。
【０００８】
したがって、可動部材（５０）、つまり可動電気接点（５１）が変位することによる電圧変化は、未使用のトナー収容器（３０）が装置本体に装着されて最初にオーガ（２７）が回転したときだけであるので、この電圧変化が検出されたときには、未使用のトナー収容器（３０）が装置本体に装着されたものみなすことができる。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の実施形態に係る画像形成装置１の中央断面図である。
【図２】本発明の実施形態に係るベルトクリーナユニット１８の中央断面図である。
【図３】本発明の実施形態に係るベルトクリーナユニット１８の内部を上方側から見た図である。
【図４】本発明の第１実施形態に係る新品検知部４０及びトナー検知部３７を示す図である。
【図５】本発明の第１実施形態に係る新品検知部４０の概念図である。
【図６】（ａ）〜（ｃ）は本発明の第１実施形態に係るトナー検知部３７の作動説明図である。
【図７】本発明の実施形態に係る新品検知部４０及びトナー検知部３７等を制御するための制御系ブロック図である。
【図８】（ａ）、（ｂ）は検出ポートＰ１で検出される電圧変化を示す図である。
【図９】本発明の第２実施形態に係る新品検知部４０を示す図である。
【図１０】本発明の第３実施形態に係る新品検知部４０を示す図である。
【発明を実施するための形態】
【００１１】
本実施形態はダイレクトタンデム方式の画像形成装置に本発明に係るトナー収容器（ベルトクリーナユニット）及び画像形成装置を適用したものであり、以下に本実施形態を図面と共に説明する。
【００１２】
（第１実施形態）
１．画像形成装置の概要
画像形成装置１の筐体３内には、図１に示すように、記録用紙やＯＨＰシート等の記録シート（以下、用紙という。）にトナー（粉体状の現像剤）を転写することにより、用紙に画像を形成する電子写真方式の画像形成部５が収納されており、この画像形成部５は、周知のごとく、プロセスユニット７、露光器９及び定着器１１等から構成されている。
【００１３】
そして、本実施形態に係る画像形成部５は、ダイレクトタンデム方式の画像形成手段であるため、用紙の搬送方向に沿って直列に複数個（本実施形態では、４個）のプロセスユニット７が配設されているとともに、各プロセスユニット７（後述する感光ドラム７Ａ）に担持されているトナー像は、転写ベルト１３Ａ上の搬送される用紙に直接転写されて重ね合わせられる。
【００１４】
なお、４個のプロセスユニット７とは、用紙の搬送方向上流側から順に、ブラック用のプロセスユニット７Ｋ、イエロー用のプロセスユニット７Ｙ、マゼンタ用のプロセスユニット７Ｍ、シアン用のプロセスユニット７Ｃであり、これらプロセスユニット７Ｋ〜７Ｃそれぞれは、トナー像が担持される感光ドラム７Ａ、及び感光ドラム７Ａを帯電させる帯電器７Ｂ等から構成されている。
【００１５】
そして、帯電した感光ドラム７Ａを露光器９にて露光して感光ドラム７Ａの外周面に静電潜像を形成した後、電荷を帯びたトナーを感光ドラム７Ａに供給すると、感光ドラム７Ａの外周面にトナー像が担持（形成）される。
【００１６】
また、用紙を搬送する転写ベルト１３Ａを挟んで感光ドラム７Ａと対向する位置には、感光ドラム７Ａに担持されたトナーを用紙に転写させる転写ローラ８が設けられており、この転写ローラ８には、感光ドラム７Ａに担持されたトナー像を用紙に転写させるための電圧が印加されている。
【００１７】
そして、感光ドラム７Ａに担持されていたトナー像が、転写ベルト１３Ａにより搬送される用紙に転写されると、そのトナー像が転写された用紙は定着器１１に搬送され、定着器１１にて加熱されてトナー像が用紙に溶着（定着）する。その後、用紙は、その搬送方向が上方側に転向されて筐体３の上端面に設定された排紙トレイ３Ａに排出される。
【００１８】
なお、転写ベルト１３Ａは、駆動ローラ１３Ｂ及び従動ローラ１３Ｃ間に架け渡されて、これらローラ１３Ｂ、１３Ｃと共に回転する無端状のベルトであり、転写ベルト１３Ａ、駆動ローラ１３Ｂ、従動ローラ１３Ｃ、並びに両ローラ１３Ｂ、１３Ｃを支持するフレーム（図示せず。）等によりベルトユニット１３が構成されている。
【００１９】
また、ベルトユニット１３の下方側には、画像形成部５に搬送される用紙が載置される給紙トレイ１４が着脱可能に装置本体に装着されており、この給紙トレイ１４とベルトユニット１３との間には、転写ベルト１３Ａに付着した廃トナー等の付着物を転写ベルト１３Ａから回収するベルトクリーナユニット１８が配設されている。
【００２０】
２．ベルトクリーナユニット（トナー収容器）について
２．１  ベルトクリーナユニットの構成
本実施形態に係る画像形成装置１では、用紙の搬送を行わない適当なタイミングでトナー濃度調整用のパッチ又は色ずれ検知用のレジマークを転写ベルト１３Ａ上に印刷（転写）した後、そのパッチ又はレジマークを廃トナーとしてベルトクリーナユニット１８にて回収している。
【００２１】
そして、ベルトクリーナユニット１８は、図２に示すように、クリーニングローラ２１、クリーニングシャフト２２、剥離ブレード２３、飛散防止ブレード２４、アジテータ２５、オーガ２７、及びトナー収容箱３０等から構成されている。
【００２２】
クリーニングローラ２１は、転写ベルト１３Ａと対向配置されて転写ベルト１３Ａの表面に付着した付着物（主に、トナー）を転写ベルト１３Ａから回収するクリーニング部材であり、クリーニングシャフト２２はクリーニングローラ２１の表面に付着したトナーを回収して収容部３１側に搬送するクリーニング部材である。
【００２３】
なお、転写ベルト１３Ａを挟んでクリーニングローラ２１と反対側には、バックアップローラ２６が配設されており、このバックアップローラ２６は転写ベルト１３Ａをクリーニングローラ２１に押し付けるためのバックアップ部材である。
【００２４】
また、クリーニングローラ２１及びクリーニングシャフト２２には、トナーが帯びている電荷と反対の極性を有する電位（本実施形態では、負電位）が印加され、クリーニングローラ２１は転写ベルト１３Ａの走行方向と逆方向に回転駆動される。
【００２５】
このため、本実施形態では、転写ベルト１３Ａの表面に付着したトナーは、機械的（物理的）に掻き取られつつ、クリーニングローラ２１とトナーとの間に発生する静電吸引力によりクリーニングローラ２１に静電吸着されて回収される。
【００２６】
そして、クリーニングローラ２１に静電吸着されているトナーは、静電吸引力によりクリーニングローラ２１からクリーニングシャフト２２に回収され、その回収されたトナーは、薄板状の剥離ブレード２３によってクリーニングシャフト２２から掻き落とされる。
【００２７】
その後、掻き落とされたトナーは、アジテータ２５によってトナー収容箱３０に構成された収容部３１に移送される。なお、飛散防止ブレード２４は、剥離ブレード２３により掻き落とされたトナーがクリーニングローラ２１側に飛散してしまうことを防止する。
【００２８】
２．２  満杯検知部、及び新品検知部の構成
画像形成装置１の使用とともに、収容部３１には回収された廃トナーが溜まっていき、最終的には、回収されたトナーを収容することができなくなる。そこで、本実施形態に係る画像形成装置１では、図３に示すように、収容部３１が予め設定された所定量のトナーで満たされたか否かを検知する（以下、満杯検知機能という。）検知部３７を設けている。
【００２９】
そして、収容部３１が予め設定された所定量のトナーで満たされた（満杯）であると検知された場合には、その旨をユーザに報知するとともに、既存のベルトクリーナユニット１８（トナー収容箱３０）を破棄して、未使用のベルトクリーナユニット１８に交換すべき旨を促すメッセージ等をユーザに報知する機能が設けられている。
【００３０】
このため、本実施形態では、検知部３７に加えて、未使用のベルトクリーナユニット１８に交換されたか否かを検知するための新品検知部４０を検知部３７に併設している。
すなわち、収容部３１のうちトナーの移動方向と反対側には、トナーの移動方向と直交する方向（以下、幅方向という。）に延びて収容部３１を区画する区画壁２７Ａが設けられており、この区画壁２７Ａを挟んでアジテータ２５（トナーの落下点）と反対側に、検知部３７及び新品検知部４０が設けられている。
【００３１】
そして、区画壁２７Ａにより区画された空間２７Ｂは、区画壁２７Ａに沿って幅方向（本実施形態では、左右方向）に延びており、その長手方向一端側（本実施形態では、左端側）は収容部３１と連通し、長手方向他端側（本実施形態では、右端側）には検知部３７及び新品検知部４０が設けられている。
【００３２】
また、空間２７Ｂには、収容部３１と空間２７Ｂとの連通箇所（空間２７Ｂの長手方向一端側）まで到達したトナーを検知部３７側に移送するオーガ２７が設けられており、このオーガ２７は、図４に示すように、特定の向き（矢視Ａから見て右向き）に回転することにより、トナーを収容部３１と空間２７Ｂとの連通箇所から検知部３７側に移送する。
【００３３】
なお、オーガ２７は、軸部２７Ｃの外周面に螺旋羽根２７Ｄが形成されたスクリュー状の粉体輸送手段の１つである。
そして、軸部２７Ｃ（以下、オーガ軸２７Ｃと記す。）の長手方向他端には、新品検知部４０のほぼ全域亘って雄ねじが形成されたネジ軸４１が設けられており、このネジ軸４１は、新品検知部４０を構成するとともに、オーガ軸２７Ｃと平行な方向に延びてオーガ軸２７Ｃから駆動力を得て回転する。
【００３４】
また、ネジ軸４１の長手方向端部のうちオーガ軸２７Ｃと反対側の端部側には、検知部３７を構成する軸部（以下、検知軸という。）３７Ａが設けられており、この検知軸３７Ａは、オーガ軸２７Ｃと平行な方向に延びるとともに、ネジ軸４１を介してオーガ軸２７Ｃから駆動力を得て回転する。
【００３５】
そして、検知軸３７Ａのうちネジ軸４１との連結部から予め設定された寸法だけ長手方向他端側（図４の右側）にずれた位置から予め設定された範囲内には、ネジ軸４１の雄ねじと同一の雄ねじが形成されたネジ部３７Ｂが設けられ、さらに、検知軸３７Ａのうちネジ部３７Ｂを挟んで長手方向両側には、雄ねじが形成されていない第１非ネジ部３７Ｃ及び第２非ネジ部３７Ｄが設けられている。
【００３６】
因みに、本実施形態では、オーガ軸２７Ｃ、ネジ軸４１及び検知軸３７Ａ（ネジ部３７Ｂ及び第１、２非ネジ部３７Ｃ、３７Ｄを含む。）を樹脂又は金属にて一体成形することにより、これらの軸２７Ｃ、４１、３７Ａを連結している。
【００３７】
そして、ネジ部３７Ｂの山径は、オーガ２７軸の直径寸法と同一寸法であり、第１非ネジ部３７Ｃ及び第２非ネジ部３７Ｄの直径寸法は、ネジ部３７Ｂの谷径寸法以下の予め設定された寸法である。
【００３８】
また、ネジ軸４１及び検知軸３７Ａには、その軸方向（長手方向）に移動することができる可動部材５０が装着されており、この可動部材５０には、ネジ軸４１及びネジ部３７Ｂに形成された雄ねじと噛み合う（係合する）螺旋状の溝（雌ねじ）が形成されている。
【００３９】
すなわち、可動部材５０は、矩形板状の部材（図５参照）であり、その中心部にネジ軸４１又は検知軸３７Ａ（以下、これらの軸を総称するときに、ネジ軸４１等と記す。）が挿入されるねじ穴５０Ａが設けられており、このねじ穴５０Ａの内周面に雌ねじが形成されている。
【００４０】
一方、ネジ軸４１等が収納された空間２７Ｂを構成する区画壁２７Ａとトナー収容箱３０の底壁３０Ａとは、可動部材５０の外周面に沿う（平行となる）ように、互いに直交した構成となっている。
【００４１】
このため、可動部材５０の外周面が区画壁２７Ａ又は底壁３０Ａと係合するので、可動部材５０がネジ軸４１等の雄ねじと噛み合ったときには、可動部材５０は、オーガ２７と回転と共にネジ軸４１等と共に回転することなく軸方向に平行移動する。つまり、区画壁２７Ａ及び底壁３０Ａは、可動部材５０がネジ軸４１等と共に回転することを規制する回転規制手段として機能する。
【００４２】
そこで、本実施形態では、トナーを検知部３７側に移送させる向き（以下、この向きを移送の向きという。）にオーガ２７が回転したときに、可動部材５０が移送の向きに強制的に移動するように、ネジ軸４１等の雄ねじ及び可動部材５０の雌ねじの向きを設定している。
【００４３】
また、可動部材５０が、ネジ軸４１等のうち第１非ネジ部３７Ｃ等の雄ねじが形成されていない部位に位置するときには、ネジ軸４１等から可動部材５０を強制変位させる力（以下、この力を強制変位力という。）が作用しないので、オーガ２７（ネジ軸４１等）が回転しても可動部材５０は、原則として、変位しない。
【００４４】
しかし、オーガ２７の回転によりトナーが移送の向きに移送され続けると、移送されたトナーが可動部材５０に及ぼす力（以下、この力をトナー押圧力という。）が大きくなるので、可動部材５０はトナー押圧力を受けて移送の向きに変位する。
【００４５】
なお、トナー押圧力は、ネジ軸４１等と噛み合っている可動部材５０を強制的に変位させるほど大きくならないので、可動部材５０とネジ軸４１等が噛み合っているときには、可動部材５０は、トナー押圧力の影響を受けることなく、強制変位力（オーガ２７の回転）のみによって移送の向きに変位する。
【００４６】
また、可動部材５０のうち底壁３０Ａに対向する部位には、図５に示すように、導電性部材（本実施形態では、金属）からなる電気接点５１が設けられており、一方、底壁３０Ａのうちネジ軸４１に対応する範囲には、電気接点５１（以下、可動電気接点５１という。）と接触可能な第１、２固定電気接点５２、５３が設けられている。
【００４７】
また、第１、２固定電気接点５２、５３それぞれは、ネジ軸４１の軸方向に沿って設けられており、各第１、２固定電気接点５２、５３は、異なる電位に設定された一対の電気接点を１組として構成されている。つまり、第１固定電気接点５２は、電気接点５２Ａ、５２Ｂを１組として構成され、第２固定電気接点５３は、電気接点５３Ａ、５３Ｂを１組として構成さている。
【００４８】
そして、電気接点５２Ａ、５３Ａは装置本体の高電位側に電気的に接続され、電気接点５２Ｂ、５３Ｂは装置本体の低電位（本実施形態では、接地（０Ｖ））側に電気的に接続されている。なお、高電位側には、電圧変化を検出するための検出ポートＰ１が設定されている。
【００４９】
このため、可動電気接点５１と第１、２固定電気接点５２、５３とが接触すると、一対の電気接点５２Ａ、５２Ｂ、５３Ａ、５３Ｂ間が導通可能となるので、本実施形態では、検出ポートＰ１で検出される電位が低電位（ＯＶ）となる。
【００５０】
なお、本実施形態では、図４に示すように、第１固定電気接点５２のうち軸方向と平行な部位の寸法Ｌ１は、第２固定電気接点５３のうち軸方向と平行な部位の寸法Ｌ２と同一寸法に設定され、かつ、オーガ２７の回転速が一定であるので、電気接点５２Ａ、５２Ｂが導通する時間と電気接点５３Ａ、５３Ｂが導通する時間とは同一時間となる。
【００５１】
ところで、ネジ部３７Ｂの軸方向端部のうち移送の向きと逆側（第１非ネジ部３７Ｃ側）には、図６に示すように、可動部材５０とネジ部３７Ｂと噛み合って可動部材５０が移送の向きに強制変位したときに、可動部材５０と接触して変位するアクチュエータ３８が設けられている。
【００５２】
なお、アクチュエータ３８は、トナー収容箱３０に揺動可能に組み付けられた板状部材であり、このアクチュエータ３８（以下、揺動板３８という。）には、検知軸３７Ａ（ネジ部３７Ｂ）との干渉を回避するためにＵ型状の切り欠かれた逃げ部３８Ｄが設けられている。
【００５３】
そして、揺動板３８を揺動可能に支持する揺動軸３８Ａは、図４に示すように、トナー収容箱３０外まで延びているとともに、その先端側には、揺動軸３８Ａと一体的に揺動する遮光板３８Ｂが設けられている。一方、装置本体のうち遮光板３８Ｂに対応する部位には、遮光板３８Ｂ、つまり揺動板３８の揺動状態を検知する透過型の光学式センサ３９が設けられている。
【００５４】
また、光学式センサ３９は光の有無により開閉するスイッチの一種であり、本実施形態では、図５に示すように、光学式センサ３９に電圧を印加するための電気配線の少なくとも一部は、第１、２固定電気接点５２、５３に接続された電気配線の少なくとも一部と共用化されている。
【００５５】
そして、光学式センサ３９は、高電位側と低電位側とを導通させる回路を開閉するので、光学式センサ３９がＯＮ状態（スイッチが閉じた状態）では、検出ポートＰ１で検出される電位が低電位（ＯＶ）となり、光学式センサ３９がＯＦＦ状態（スイッチが開いた状態）では、検出ポートＰ１で検出される電位が高電位となる。
【００５６】
また、本実施形態に係る揺動板３８では、図６（ａ）に示すように、揺動軸３８Ａが揺動板３８の上端に設けられており、揺動板３８の板面が鉛直方向と平行な状態にあるときには、遮光板３８Ｂは光学式センサ３９の光路を遮る位置にあり、光学式センサ３９はＯＦＦ状態となっている。
【００５７】
そして、可動部材５０の雌ねじがネジ部３７Ｂの雄ねじと噛み合うと可動部材５０は、ネジ部３７Ｂから強制変位力を受けて移送の向き（図６（ａ）では右向き）に強制変位させられ、揺動板３８と接触する（図６（ａ）参照）。なお、以下、可動部材５０がネジ部３７Ｂと噛み合う位置を第１ポジションという。
【００５８】
その後、可動部材５０が更に移送の向きに強制変位させられると、図６（ｂ）→図６（ｃ）に示すように、揺動板３８は、可動部材５０により押されて上方側に揺動変位するため、遮光板３８Ｂが光学式センサ３９の光路を開放する位置となり、光学式センサ３９がＯＮ状態となる。なお、可動部材５０が第２非ネジ部３７Ｄまで到達してネジ部３７Ｂと可動部材５０と噛み合い（係合）が解除された時の可動部材５０の位置を第２ポジションという。
【００５９】
また、コイルバネ３７Ｅは、第２ポジション側から第１ポジション側に向かう向きの弾性力を可動部材５０に作用させる付勢手段であり、このコイルバネ３７Ｅの長手方向一端側は、逃げ部３８Ｄを貫通して可動部材５０に接触して弾性力を可動部材５０に作用させる。
【００６０】
また、規制係合突起部３７Ｆは、可動部材５０が第２ポジションに到達してネジ部３７Ｂと可動部材５０と噛み合いが解除したときに、可動部材５０が第１ポジション側（ネジ部３７Ｂ側）に変位することを規制する変位規制手段であり、この規制係合突起部３７Ｆは、図４に示すように、底壁３０Ａにコの字状の異形穴を設けて構成した板バネ部３７Ｇの先端側に設けられた突起部により構成されている。
【００６１】
つまり、可動部材５０が第２ポジション側に変位する際に可動部材５０と規制係合突起部３７Ｆとが衝突すると、規制係合突起部３７Ｆが可動部材５０から離隔するように退避し（図６（ｂ）参照）、その後、可動部材５０が規制係合突起部３７Ｆを乗り越えて規制係合突起部３７Ｆと可動部材５０とが係合する（図６（ｃ）参照）。これにより、可動部材５０が第１ポジション側（ネジ部３７Ｂ側）に変位することを規制される。
【００６２】
２．３  満杯検知部、及び新品検知部の制御系（図７参照）
画像形成部５や駆動ローラ１３Ｂ等のローラに駆動力を供給する電動モータ６１、及び情報等を報知する表示パネル６２は、制御装置６０により制御されており、この制御装置６０には、検出ポートＰ１の電位を示す信号や画像形成装置１の電源スイッチ６３のＯＮ−ＯＦＦ状態を示す信号等が入力されている。
【００６３】
なお、制御装置６０は、ＣＰＵ、ＲＯＭ及びＲＡＭ等からなる周知のマイクロコンピュータにて構成されたものであり、制御装置６０に設けられたＥＰＲＯＭ等の不揮発性記憶装置に、画像形成装置１の作動を制御するためのプログラムが格納されている。
【００６４】
２．４  満杯検知部、及び新品検知部の作動
＜新品検知＞
未使用のベルトクリーナユニット１８においては、可動部材５０は、図５の実線で示すように、ネジ軸４１の軸方向端部のうちオーガ２７側の位置（以下、この位置を初期位置という。）にある。
【００６５】
そして、可動部材５０が初期位置にある状態でオーガ２７が回転すると、これに連動してネジ軸４１が回転するため、可動部材５０は、初期位置から移送の向きに平行移動し、最終的には、図５の二点鎖線で示すように、ネジ軸４１の雄ねじと可動部材５０の雌ねじとの噛み合いが外れる位置（以下、この位置を満杯検知開始位置という。）に到達するまで移動する。
【００６６】
このとき、可動部材５０が初期位置から満杯検知開始位置まで移動する際に、可動電気接点５１と第１、２固定電気接点５２、５３と導通状態なるので、検出ポートＰ１で検出される電位を示す波形は、図８（ａ）に示すように、２つの谷部が所定間隔で発生するような矩形波（以下、この波形を新品検知波形という。）となる。
【００６７】
また、オーガ２７は特定の向きのみに回転するので、満杯検知開始位置に到達した可動部材５０が初期位置に復帰することはあり得ない。つまり、新品検知波形は、未使用のベルトクリーナユニット１８が装置本体に装着された後、最初にオーガ２７が回転したときのみ検知される電圧変化である。
【００６８】
そこで、本実施形態に係る制御装置６０は、電源スイッチ６３の投入タイミングに連動して、所定時間（回転数）だけオーガ２７を回転させるとともに、このときに、新品検知波形が検知された場合には、未使用のベルトクリーナユニット１８が装置本体に装着されたものと判定する。因みに、上記の所定時間（所定回転数）とは、可動部材５０が初期位置から満杯検知開始位置まで移動するに必要な時間（回転数）をいう。
【００６９】
そして、制御装置６０は、未使用のベルトクリーナユニット１８が装置本体に装着されたと判定したときは、画像形成部５の作動を許可する旨のフラグ（以下、新品検知フラグという。）を設定する。
【００７０】
一方、新品検知フラグが設定されていない場合には、制御装置６０は、画像形成部５の作動を禁止状態とした上で、その旨を表示パネル６２等を介してユーザに報知する。なお、ベルトクリーナユニット１８が装置本体に装着されているか否かを検知するセンサ（図示せず。）により、ベルトクリーナユニット１８が装置本体から取り外されたと判定されたときには、設定されている新品検知フラグが解除される。
【００７１】
＜満杯検知＞
満杯検知機能は、新品検知フラグが設定されている場合に作動する。新品検知フラグが設定された直後、つまり、未使用のベルトクリーナユニット１８が装置本体に装着された直後においては、可動部材５０は満杯検知開始位置にある。
【００７２】
そして、満杯検知開始位置から第１ポジション手前までの区間（以下、この区間を区間Ａと記す。）は、図４に示すように、第１非ネジ部３７Ｃであるので、画像形成部５の作動と連動してオーガ２７が回転しても可動部材５０は移送の向きに移動することはない。
【００７３】
しかし、オーガ２７の回転に伴って区間Ａにトナーが堆積していくと、可動部材５０はトナー押圧力を受けて移送の向きに移動し、区間Ａに堆積したトナーの量が予め設定した量を超えて可動部材５０が第１ポジションに到達すると、可動部材５０の雌ねじとネジ部３７Ｂの雄ねじとが噛み合う（図６（ａ）参照）。
【００７４】
これにより、可動部材５０は第１ポジションから第２ポジションまで強制的に変位させられ（図６（ｂ）、図６（ｃ）参照）、可動部材５０が第２ポジションに到達すると、光学式センサ３９がＯＮ状態となり、図８（ｂ）に示すような電圧変化が検知される。
【００７５】
そこで、本実施形態では、上記の「予め設定した量」を「収容部３１が予め設定された所定量のトナーで満たされたときのトナー量」に設定し、光学式センサ３９がＯＮ状態となったときに、収容部３１が満杯になったものとみなしている。
【００７６】
ところで、可動部材５０が第２ポジション（第２非ネジ部３７Ｄ）に到達すると、可動部材５０の雌ねじとネジ部３７Ｂの雄ねじとの噛み合いが解除されるので、可動部材５０に作用する強制変位力が消失し、可動部材５０はコイルバネ３７Ｅの弾性力によりネジ部３７Ｂ側に押圧される。
【００７７】
しかし、規制係合突起部３７Ｆと可動部材５０とが係合し（図６（ｃ）参照）、可動部材５０が第１ポジション側（ネジ部３７Ｂ側）に変位することが規制されるので、ＯＮ状態となった光学式センサ３９が再びＯＦＦ状態に復帰することはない。
【００７８】
３．ベルトクリーナユニット及び画像形成装置の特徴
本実施形態では、トナー押圧力を受けて移送の向き側に変位した可動部材５０が第１ポジションに到達したとき以降は、ネジ部３７Ｂにより可動部材５０が強制変位させられる。
【００７９】
そして、ネジ部３７Ｂにより可動部材５０が強制変位させられたときには、収容部３１がトナーにて満たされた状態となっているので、トナー押圧力（トナー圧）が変動しても、その影響を受けることなく、収容部３１がトナーにて満たされたか否かを判定することが可能となる。
【００８０】
したがって、本実施形態では、トナー収容器の収容部３１がトナーにて満たされた状態となったか否かを安定的に判断することができる。
また、本実施形態では、収容部３１に収容されているトナーを可動部材５０に向けて搬送する搬送手段としてオーガ２７を備えることを特徴としているので、可動部材５０は、オーガ２７による搬送力を直接的に受ける構成となる。したがって、可動部材５０を確実に第１ポジション側に移動させることができるので、収容部３１がトナーにて満たされた状態となったか否かを確実に判断することができる。
【００８１】
また、本実施形態では、ネジ部３７Ｂは、オーガ２７から駆動力を得て可動部材５０を強制変位させることを特徴としているので、ネジ部３７Ｂに駆動力を供給するため駆動力伝達手段を別に構成した場合に比べて、その構成を簡素な構成とすることが可能となる。
【００８２】
また、本実施形態では、オーガ２７の軸部２７Ｃとネジ部３７Ｂとが連結されていることを特徴としているので、ネジ部３７Ｂに容易に駆動力を供給することができる。
また、本実施形態では、第２ポジション側から第１ポジション側に向かう向きの力を可動部材５０に作用させるコイルバネ３７Ｅを備えることを特徴としているので、可動部材５０に無用な振動変位等が発生してしまうことを抑制でき、可動部材５０を安定的に変位させることができる。
【００８３】
また、本実施形態では、ネジ部３７Ｂは、可動部材５０が第２ポジションに到達したときに、可動部材５０との係合が解除されるように非係合部をなす第２非ネジ部３７Ｄが設けられていることを特徴としているので、収容部３１がトナーにて満たされた状態と判定されたとき以降に、可動部材５０が不必要に強制変位させられることを防止できる。
【００８４】
また、本実施形態では、可動部材５０が第２ポジションに到達したときに、可動部材５０が第１ポジション側に変位することを規制する変位規制手段をなす規制係合突起部３７Ｆを備えることを特徴としているので、収容部３１がトナーにて満たされた状態と判定されたとき以降において、可動部材５０に無用な振動変位等が発生してしまうことを抑制できる。
【００８５】
また、本実施形態では、上述したように、新品検知のために光学式のセンサを用いることなく、未使用のベルトクリーナユニット１８（トナー収容箱３０）が装置本体に装着されたものと判定することができる。
【００８６】
すなわち、ネジ軸４１は特定の向きに回転するオーガ２７から回転力を得ているので、可動部材５０は往復変位すること無く特定の向きに変位する。このため、可動部材５０が軸方向一端側の位置である第１ポジションから他端側の位置である第２ポジションに変位した後、可動部材５０が第２ポジションから第１ポジションに復帰して、再び、第１ポジションから第２ポジションに移動することはない。
【００８７】
したがって、可動部材５０、つまり可動電気接点５１が変位することによる電圧変化は、未使用のベルトクリーナユニット１８が装置本体に装着されて最初にオーガ２７が回転したときだけであるので、この電圧変化が検出されたときには、未使用のベルトクリーナユニット１８が装置本体に装着されたものとみなすことができる。
【００８８】
また、本実施形態では、第１、２固定電気接点５２、５３は、異なる電位に設定された一対の電気接点５２Ａ、５２Ｂ、５３Ａ、５３Ｂを１組として構成されており、さらに、可動電気接点５１と第１、２固定電気接点５２、５３とが接触することにより、一対の電気接点５２Ａ、５２Ｂ、５３Ａ、５３Ｂ間が導通可能となることを特徴としている。
【００８９】
これにより、本実施形態では、可動電気接点５１に電圧を印加する必要がなく、可動電気接点５１に電圧を印加するための摺動電気接点（ブラシ）等を必要としないので、画像形成装置の電気配線を簡素な構成とすることが可能となる。
【００９０】
また、本実施形態では、トナー収容箱３０に溜まったトナーの量が予め設定された量を超えたか否かを検出する満杯検知手段をなす光学式センサ３９を備えており、この光学式センサ３９に電圧を印加するための電気配線の少なくとも一部が、第１、２固定電気接点５２、５３に接続された電気配線の少なくとも一部と共用化されていることを特徴としているので、画像形成装置１の電気配線を簡素な構成とすることが可能となる。
【００９１】
また、本実施形態では、第１、２固定電気接点５２、５３は、ネジ軸４１の軸方向に沿って複数設けられていることを特徴としているので、可動部材５０の移動に伴う電圧変化が周期的に発生する（図８（ａ）参照）。
【００９２】
したがって、電気ノイズ等と電圧変化とを確実に識別することができるので、未使用のベルトクリーナユニット１８が装置本体に装着されたか否かを確実に判定することができる。
【００９３】
また、本実施形態では、ネジ軸４１の雄ねじは、予め設定された所定範囲内のみに形成されており、さらに、第１、２固定電気接点５２、５３は、雄ねじが形成された範囲に対応する範囲内に位置していることを特徴としている。
【００９４】
これにより、本実施形態では、無用な可動部材５０の移動を防止することができる。つまり、雄ねじが設定された範囲外まで可動部材５０が移動すると、雄ねじと雌ねじとの噛み合いが解除されるので、その後は、ネジ軸４１が回転しても可動部材５０が移動してしまうことはない。
【００９５】
（第２実施形態）
第１実施形態では、第１固定電気接点５２を構成する電気接点５２Ａ、５２Ｂ、及び第２固定電気接点５３を構成する電気接点５３Ａ、５３Ｂそれぞれは、ネジ軸４１の軸方向（可動部材５０の移動方向）と直交する方向に配置されていたが、本実施形態は、図９に示すように、第１、２固定電気接点５２、５３それぞれを、ネジ軸４１の軸方向と平行な方向に配置された一対の電気接点を１組として構成したものである。
【００９６】
そして、本実施形態では、第１固定電気接点５２の高電位側の電気接点５２Ａと、第２固定電気接点５３の高電位側の電気接点５３Ａとを共通化することにより、第１、２固定電気接点５２、５３の構成部品点数の低減を図っている。
【００９７】
なお、本実施形態では、可動部材５０（可動電気接点５１）の外径寸法のうち、軸方向と平行な部位の寸法を第１実施形態に比べて大きくすることにより、可動電気接点５１が高電位側の電気接点及び低電位側の電気接点と同時に接触することができるようにしている。
【００９８】
（第３実施形態）
第１実施形態では、第１固定電気接点５２（５２Ａ、５２Ｂ）のうち軸方向（可動部材５０の移動方向）と平行な部位の寸法Ｌ１は、第２固定電気接点５３（５３Ａ、５３Ｂ）のうち軸方向と平行な部位の寸法Ｌ２と同一寸法に設定されていたが、本実施形態は、図１０に示すように、寸法Ｌ１と寸法Ｌ２とを異なる寸法（例えば、Ｌ１＞Ｌ２）としたものである。
【００９９】
これにより、電気接点５２Ａ、５２Ｂが導通する時間と電気接点５３Ａ、５３Ｂが導通する時間とが異なる時間となり、第１固定電気接点５２と可動電気接点５１との接触による電圧変化と、第２固定電気接点５３と可動電気接点５１との接触による電圧変化とを異なるパターンとすることができるので、電気ノイズ等と電圧変化とを確実に識別することができ、未使用のベルトクリーナユニット１８が装置本体に装着されたか否かを確実に判定することができる。
【０１００】
なお、図１０は、第１実施形態に本実施形態を適用した例であるが、本実施形態はこれに限定されるものではなく、第２実施形態にも本実施形態を適用することができることは勿論のこと、寸法Ｌ１を寸法Ｌ２より小さくしてもよい。
【０１０１】
（その他の実施形態）
上述の実施形態では、一対の電気接点にて第１、２固定電気接点５２、５３を構成したが、本発明はこれに限定されるものではなく、例えば、各第１、２固定電気接点５２、５３を１つの電気接点にて構成するとともに、これら第１、２固定電気接点５２、５３を高電位側に接続し、可動電気接点５１を摺動接点（ブラシ等）を介して低電位側に接続してもよい。
【０１０２】
また、上述の実施形態では、複数の固定電気接点を設けたが、本発明はこれに限定されるものではなく、例えば、固定電気接点を１つ又は３つ以上としてもよい。
また、本発明は、特許請求の範囲に記載された発明の趣旨に合致するものであればよく、上述の実施形態に限定されるものではない。
【符号の説明】
【０１０３】
１…画像形成装置、３…筐体、３Ａ…排紙トレイ、５…画像形成部、
７…プロセスユニット、７Ａ…感光ドラム、８…転写ローラ、９…露光器、
１１…定着器、１３…ベルトユニット、１３Ａ…転写ベルト、１３Ｂ…駆動ローラ、
１３Ｃ…従動ローラ、１４…給紙トレイ、１８…ベルトクリーナユニット、
２１…クリーニングローラ、２２…クリーニングシャフト、２３…剥離ブレード、
２４…飛散防止ブレード、２５…アジテータ、２６…バックアップローラ、
２７…オーガ、２７Ａ…区画壁、２７Ｂ…空間、２７Ｃ…オーガ軸、
２７Ｄ…螺旋羽根、３０…トナー収容箱、３１…収容部、３７…トナー検知部、
３７Ａ…検知軸、３７Ｂ…ネジ部、３７Ｃ…第１非ネジ部、３７Ｄ…第２非ネジ部、
３７Ｅ…コイルバネ、３７Ｆ…規制係合突起部、３７Ｇ…板バネ部、
３９…光学式センサ、４０…新品検知部、４１…ネジ軸、５０…可動部材、
５０Ａ…穴、５１…可動電気接点、５２…第１固定電気接点、
５３…第２固定電気接点、６０…制御装置、６１…電動モータ、６２…表示パネル。
【図１】
0005903782.tif 000002
【図２】
0005903782.tif 000003
【図３】
0005903782.tif 000004
【図４】
0005903782.tif 000005
【図５】
0005903782.tif 000006
【図６】
0005903782.tif 000007
【図７】
0005903782.tif 000008
【図８】
0005903782.tif 000009
【図９】
0005903782.tif 000010
【図１０】
0005903782.tif 000011